(57)【要約】  【課題】電動過給機の駆動応答性を高めて、加速要求を満足させる。  【解決手段】エンジンの運転状態が、例えば図２に示すように、エンジン回転とエンジン負荷としての目標トルクとをパラメータとして設定されて、エンジン１が自然吸気運転される第１領域Ｘと、電動過給機５によって過給運転（過給による駆動アシスト）が行われる第２領域Ｙと、電動過給機５による過給運転に加えてモータ発電機１１をモータとして機能させた駆動アシストが行われる第３領域Ｚとに区分けされる。加速要求によって第１領域Ｘから第２領域Ｙに移行する過渡時に、モータ発電機１１が発電機として機能されて、その発電電力が電動過給機５に供給される。上記過渡時には、例えばエンジン補機としてのエンジン冷却水ポンプやエアコン用ポンプ（コンプレッサ）が停止される等による負荷低減が行われて、この負荷低減に伴う駆動トルク増大によってモータ発電機１１による発電能力が一時的に十分高められ、電動過給機５へ十分な電力が供給される。【選択図】  図１
2005180254.tif 000002
【特許請求の範囲】
【請求項１】
車両走行のための駆動源となるエンジンに連結され、エンジンの駆動力をアシストする走行モータとしての機能とエンジンにより駆動される発電機としての機能とが選択的に行われるモータ発電機と、
エンジンの吸気を過給するための電動過給機と、
エンジンにより駆動されるエンジン補機と、
前記モータ発電機および電動過給機を制御する制御手段と、
を備え、
前記制御手段は、前記電動過給機を休止させてエンジンを自然吸気運転している非過給状態から、加速要求によって該電動過給機を作動させる過給状態へ移行する過渡時に、前記モータ発電機を発電機として機能させて該モータ発電機で発電された電力を該電動過給機に供給すると共に、エンジン補機の負荷を低減させる制御を行うように設定されている、
ことを特徴とする電動過給機を備えたパワートレインの制御装置。
【請求項２】
車両走行のための駆動源となるエンジンに連結され、エンジンの駆動力をアシストする走行モータとしての機能とエンジンにより駆動される発電機としての機能とが選択的に行われるモータ発電機と、
エンジンの吸気を過給するための電動過給機と、
エンジンにより駆動されるエンジン補機と、
前記モータ発電機での発電電力を蓄えると共に、該モータ発電機および前記電動過給機に対する電力供給源となる蓄電装置と、
エンジン負荷に関するパラメータを検出する負荷検出手段と、
エンジン回転数に関するパラメータを検出する回転数検出手段と、
前記負荷検出手段で検出されたエンジン負荷と前記回転数検出手段で検出されたエンジン回転数とに基づいて、前記モータ発電機および電動過給機を制御する制御手段と、
を備え、
前記制御手段は、前記電動過給機を休止させてエンジンを自然吸気運転している非過給状態から、加速要求によって該電動過給機を作動させる過給状態へ移行する過渡時に、前記モータ発電機を発電機として機能させて該モータ発電機で発電された電力を該電動過給機に供給すると共に、前記エンジン補機の負荷を低減させる制御を行うように設定されている、
ことを特徴とする電動過給機を備えたパワートレインの制御装置。
エンジンの吸気を過給するための電動過給機と、
【請求項３】
請求項２において、
エンジン回転数とエンジン負荷とをパラメータとして、前記電動過給機を休止させてエンジンを自然吸気運転させる非過給領域と、該電動過給機を作動させてエンジンを過給運転させる過給領域とがあらかじめ設定され、
前記制御手段は、現在の運転状態が前記非過給領域のうち前記過給領域付近にあるときに前記加速要求が検出されたときに、前記過渡時であると判断して、前記モータ発電機からの発電電力を前記電動過給機に供給すると共に、前記エンジン補機の負荷を低減させる制御を行うように設定されている、
ことを特徴とする電動過給機を備えたパワートレインの制御装置。
【請求項４】
請求項１ないし請求項３のいずれか１項において、
前記制御手段は、前記エンジン補機の負荷低減によるトルク増大分を消費するように前記モータ発電機の発電を行わせる制御を行うように設定されている、ことを特徴とする電動過給機を備えたパワートレインの制御装置。
【請求項５】
請求項２または請求項３において、
前記制御手段は、前記エンジン補機の負荷低減に伴うトルク増大分に対応した発電電力が前記電動過給機に供給する電力よりも大きいときは、発電した余裕電力を前記蓄電装置に蓄電させる制御を行うように設定されている、ことを特徴とする電動過給機を備えたパワートレインの制御装置。
【請求項６】
請求項２または請求項３において、
前記制御手段は、エンジン回転数が大きいときはエンジン回転数が小さいときに比して、前記モータ発電機から前記電動過給機へ供給する供給電力が大きくなるように制御すると共に、該モータ発電機の発電電力が該電動過給機への供給電力よりも大きいときは、発電した余剰電力を前記蓄電装置に蓄電させる制御を行うように設定されている、ことを特徴とする電動過給機を備えたパワートレインの制御装置。
【請求項７】
請求項２ないし請求項６のいずれか１項において、
前記蓄電装置の蓄電量小さいときは蓄電量が大きいときに比して、前記モータ発電機から前記電動過給機へ供給する供給電力が大きくなるように制御するように設定されている、ことを特徴とする電動過給機を備えたパワートレインの制御装置。
【請求項８】
請求項１ないし請求項７のいずれか１項において、
前記制御手段は、前記過渡時に、
前記エンジン補機の作動状態に応じて、該エンジン補機がとり得る負荷低減の度合いとなる負荷低減度合いを判定する制御と、
エンジンの運転状態に基づいて、前記電動過給機へ供給する目標供給電力とを決定する制御と、
前記判定された負荷低減度合いによって得られる前記モータ発電機の発電電力が前記目標供給電力よりも小さいときは、該判定された負荷低減度合いでもってエンジン補機の負荷を低減させると共に、エンジンの空燃比を一時的にリッチにするリッチ補正の制御を行って、該エンジン補機の負荷低減と空燃比のリッチ化によって得られるトルク増大分を消費するように該モータ発電機での発電を行わせる制御を行う、
ように設定されている、
ことを特徴とする電動過給機を備えたパワートレインの制御装置。
【請求項９】
請求項２ないし請求項７のいずれか１項において、
前記制御手段は、前記過渡時に、
エンジンの運転状態に基づいて、前記過渡時に前記電動過給機へ供給する目標供給電力を決定する制御と、
前記エンジン補機の負荷低減によるトルク増大分に対応して得られる前記モータ発電機の発電電力を決定する制御と、
前記発電電力が前記目標供給電力よりも大きいときは、該目標供給電力分だけ前記モータ発電機から前記電動過給機に電力を供給すると共に、該発電電力と目標供給電力との差分となる余裕電力を前記蓄電装置に蓄電させる制御と、
前記発電電力が前記目標供給電力よりも小さいときは、該発電電力と目標供給電力との差分となる不足電力をエンジンの空燃比を一時的にリッチにして該空燃比のリッチ化によって得られるトルク増大分によって該発電電力を増大させて、該目標供給電力を前記電動過給機に供給する制御と、
を行うように設定されている、
ことを特徴とする電動過給機を備えたパワートレインの制御装置。
【請求項１０】
請求項８または請求項９において、
前記目標供給電力が、前記モータ発電機からの発電電力を前記電動過給機へ供給する供給時間と供給電力とをパラメータとして設定される、ことを特徴とする電動過給機を備えたパワートレインの制御装置。
【請求項１１】
請求項１０において、
前記モータ発電機から電動過給機への供給電力は、初期時にはもっとも大きい値とされ、その後徐々に小さくなるように設定される、ことを特徴とする電動過給機を備えたパワートレインの制御装置。
【請求項１２】
請求項１ないし請求項１１のいずれか１項において、
エンジン回転数と、アクセル開度に応じて設定されるエンジン負荷としての目標トルクとをパラメータとして運転領域があらかじめ設定され、
前記運転領域が、低目標トルクまたは高回転となる第１領域と、高目標トルクかつ中回転となる第２領域と、高目標トルクかつ低回転となる第３領域との３つの領域に分けられており、
前記制御手段は、前記第１領域では、前記モータ発電機および電動過給機による駆動アシストを禁止し、前記第２領域では該電動過給機のみによる駆動アシストを実行させ、前記第３領域では該モータ発電機と電動過給機との両方の駆動アシストを実行させるように制御するように設定されている、
ことを特徴とする電動過給機を備えたパワートレインの制御装置。
【請求項１３】
請求項１２において、
前記第１領域と第２領域との境となる第１境界特性線が、前記モータ発電機と電動過給機との駆動アシストなしの状態で自然吸気運転されたエンジンのトルク曲線に対応するように設定され、
前記第２領域と第３領域との境となる第２境界特性線が、エンジン回転数が増大するのに伴って目標トルクが急激に大きくなるように設定されている、
ことを特徴とする電動過給機を備えたパワートレインの制御装置。
【請求項１４】
請求項１３において、
前記モータ発電機および電動過給機の駆動アシストなしの状態で自然吸気運転されたエンジンの最大トルクの発生回転数が、前記第２領域における最大回転数付近となるように設定されている、
ことを特徴とする電動過給機を備えたパワートレインの制御装置。
【発明の詳細な説明】
【技術分野】
【０００１】
本発明は、電動過給機付エンジンを備えた車両の制御装置、より詳しくは、エンジンの出力増大を図るための電動過給機と、車両の動力源として機能するモータとを併せて備え、これらの駆動をエンジンの運転状態に応じて切り換えるように構成された電動過給機を備えたパワートレインの制御装置に関するものである。
【背景技術】
【０００２】
従来より、エンジンの出力増大を図る手段としてスーパーチャージャやターボチャージャが周知であるが、いずれも過給能力がエンジン回転数の影響を大きく受ける結果、低回転領域で過給圧が不足するという問題がある。これに対し、モータでコンプレッサを駆動する電動過給機は、エンジン回転数の影響を受けることなくコンプレッサの回転数を制御できるので、低回転領域でも十分な過給圧を発生し得るという利点を有する。
【０００３】
一方、近年、エンジンの他に、車両の動力源として機能するモータを搭載した環境対応型車両が知られつつあり、例えば特許文献１には、このようなモータと上記電動過給機とを併せて有するエンジンが開示されている。ただし、上記特許文献１には、モータとして、車両の動力源としての機能と、エンジンで駆動されて発電を行う発電機としての機能とを兼ね備えたモータ発電機（モータジェネレータ）が開示されている。
【０００４】
そして、このように、エンジンの出力増大を図る電動過給機と、モータ発電機とを併せて備えた車両においては、例えば、エンジン回転数や車速等の回転関連値と、アクセル開度等で代表されるエンジン負荷等のトルク関連値とをパラメータとするエンジンの運転状態に応じて、上記電動過給機及びモータ発電機の駆動状態を示す各領域がマップに設定され、このマップに実際のエンジン回転数やエンジン負荷等を当てはめて、その結果に応じて上記電動過給機及びモータ発電機の駆動を切り換えるエンジンの基本的な出力制御が実行される。
【０００５】
この点、上記特許文献１によれば、図２７に示すように、低車速（低回転）低負荷領域が、車両をモータの出力のみで走行させるモータ走行領域とされ、中車速（中回転）中負荷領域が、車両をエンジンの自然吸気による出力のみで走行させる非過給領域とされ、低車速（低回転）高負荷領域が、電動過給機を駆動させる過給領域とされ、そして、中車速（中回転）高負荷領域から全高車速（高回転）領域が、電動過給機に加えてモータも駆動させるモータアシスト領域とされている。
【０００６】
また一方、電動過給機を備えた車両にあっては、駆動アシスト用のモータとして機能されるときのモータ発電機や電動過給機への電力供給源となる蓄電装置を備えている。そして、車両の減速時には、モータ発電機を発電機として機能させて、この蓄電装置に電力を蓄電させることも一般に行われており（回生制動）、定常走行時等にも適宜蓄電装置への蓄電を行うことも行われている。上記蓄電装置しては、大型のバッテリが使用される場合もあるが、大電力を応答よく充電、放電できるコンデンサ（キャパシタ）型のものが使用されることも多くなっている。
【０００７】
【特許文献１】特開平１１−３３２０１５号公報
【発明の開示】
【発明が解決しようとする課題】
【０００８】
上述のように、電動過給機とモータ発電機と蓄電装置とを備えた車両において、加速要求があったときに、電動過給機による過給を実行させると共に、モータ発電機をモータとして機能させて、十分な加速を得ようとすることが考えられる。しかしながら、この場合は、蓄電装置から電動過給機およびモータ発電機に対して一気に駆動用の電力を供給しなければならず、このため、蓄電装置からの供給電圧が一時的に急激に低下して、電動過給機やモータ発電機、特に電動過給機の駆動に応答遅れを生じると共に、その後の電力供給に不足を生じやすいものとなり、期待しているような加速を得にくいものとなる。
【０００９】
本発明は以上のような事情を勘案してなされたもので、電動過給機の駆動応答性を高めて、加速要求を満足できるようにした電動過給機を備えたパワートレインの制御装置を提供することにある。
【課題を解決するための手段】
【００１０】
上記目的を達成するため、本発明はその第１の解決手法として、次のようにしてある。すなわち、特許請求の範囲における請求項１に記載のように、
車両走行のための駆動源となるエンジンに連結され、エンジンの駆動力をアシストする走行モータとしての機能とエンジンにより駆動される発電機としての機能とが選択的に行われるモータ発電機と、
エンジンの吸気を過給するための電動過給機と、
エンジンにより駆動されるエンジン補機と、
前記モータ発電機および電動過給機を制御する制御手段と、
を備え、
前記制御手段は、前記電動過給機を休止させてエンジンを自然吸気運転している非過給状態から、加速要求によって該電動過給機を作動させる過給状態へ移行する過渡時に、前記モータ発電機を発電機として機能させて該モータ発電機で発電された電力を該電動過給機に供給すると共に、エンジン補機の負荷を低減させる制御を行うように設定されている、
ようにしてある。
【００１１】
上記目的を達成するため、本発明はその第２の解決手法として、次のようにしてある。すなわち、特許請求の範囲における請求項２に記載のように、
車両走行のための駆動源となるエンジンに連結され、エンジンの駆動力をアシストする走行モータとしての機能とエンジンにより駆動される発電機としての機能とが選択的に行われるモータ発電機と、
エンジンの吸気を過給するための電動過給機と、
エンジンにより駆動されるエンジン補機と、
前記モータ発電機での発電電力を蓄えると共に、該モータ発電機および前記電動過給機に対する電力供給源となる蓄電装置と、
エンジン負荷に関するパラメータを検出する負荷検出手段と、
エンジン回転数に関するパラメータを検出する回転数検出手段と、
前記負荷検出手段で検出されたエンジン負荷と前記回転数検出手段で検出されたエンジン回転数とに基づいて、前記モータ発電機および電動過給機を制御する制御手段と、
を備え、
前記制御手段は、前記電動過給機を休止させてエンジンを自然吸気運転している非過給状態から、加速要求によって該電動過給機を作動させる過給状態へ移行する過渡時に、前記モータ発電機を発電機として機能させて該モータ発電機で発電された電力を該電動過給機に供給すると共に、エンジン補機の負荷を低減させる制御を行うように設定されている、
ようにしてある。
【００１２】
上記第１の解決手法および第２の解決手法共に、電動過給機が休止されている非過給状態から、加速要求によって電動過給機を駆動する過給状態へと移行する過渡時においては、モータ発電機を発電機として機能させて、この発電電力が電動過給機に供給される。このとき、エンジン補機の負荷が低減されるので、この負荷低減によってモータ発電機を駆動するトルクが一時的に増大されることとなって、モータ発電機による発電能力を一時的に十分に高めて、電動過給機を応答よく駆動開始させることができ、またその後の電力不足も生じにくいものとなる。これにより、十分な加速性を満足させることができる。
【００１３】
上記第１の解決手法または第２の解決手法の少なくとも一方を前提とした好ましい態様は、特許請求の範囲における請求項３以下に記載のとおりである。すなわち、
エンジン回転数とエンジン負荷とをパラメータとして、前記電動過給機を休止させてエンジンを自然吸気運転させる非過給領域と、該電動過給機を作動させてエンジンを過給運転させる過給領域とがあらかじめ設定され、
前記制御手段は、現在の運転状態が前記非過給領域のうち前記過給領域付近にあるときに前記加速要求が検出されたときに、前記過渡時であると判断して、前記モータ発電機からの発電電力を前記電動過給機に供給すると共に、前記エンジン補機の負荷を低減させる制御を行うように設定されている、
ようにすることができる（請求項３対応）。この場合、電動過給機の駆動が開始される状態になることを極力すみやかに検出して、加速応答性をより一層高める上で好ましいものとなる。
【００１４】
前記制御手段は、前記エンジン補機の負荷低減によるトルク増大分を消費するように前記モータ発電機の発電を行わせる制御を行うように設定されている、ようにすることができる（請求項４対応）。この場合、エンジン補機の負荷低減に伴う分だけモータ発電機で発電させて、過渡時でのトルクショックを防止する上で好ましいものとなる。
【００１５】
前記制御手段は、前記エンジン補機の負荷低減に伴うトルク増大分に対応した発電電力が前記電動過給機に供給する電力よりも大きいときは、発電した余裕電力を前記蓄電装置に蓄電させる制御を行うように設定されている、ようにすることができる（請求項５対応）。この場合、過渡時におけるトルクショック防止を図りつつ、余裕電力を無駄にすることなく蓄電しておくことができる。
【００１６】
前記制御手段は、エンジン回転数が大きいときはエンジン回転数が小さいときに比して、前記モータ発電機から前記電動過給機へ供給する供給電力が大きくなるように制御すると共に、該モータ発電機の発電電力が該電動過給機への供給電力よりも大きいときは、発電した余剰電力を前記蓄電装置に蓄電させる制御を行うように設定されている、ようにすることができる（請求項６対応）。この場合、エンジン回転数が小さいときは、最大過給の吸気流量が小さくて電動過給機への負荷が小さいので、電動過給機への供給電力を小さくして過給の立ち上がりが弱められることになる（エンジン回転数が大きいときはこの逆）。このように、エンジン回転数に応じた適切な電力を電動過給機に供給しつつ、余裕電力を無駄にすることなく蓄電しておくことができる。
【００１７】
前記制御手段は、前記蓄電装置の蓄電量が小さいときは蓄電量が大きいときに比して、前記モータ発電機から前記電動過給機へ供給する供給電力が大きくなるように制御するように設定されている、ようにすることができる（請求項７対応）。この場合、蓄電装置の蓄電量が小さいときは、蓄電装置から電動過給機への電力供給が小さくなり、電動過給機の応答遅れが大きくなるが（蓄電量が大きいときはこの逆）、このときはモータ発電機から電動過給機への供給電力を大きくすることによって、応答遅れを防止あるいは低減することができる。
【００１８】
前記制御手段は、前記過渡時に、
前記エンジン補機の作動状態に応じて、該エンジン補機がとり得る負荷低減の度合いとなる負荷低減度合いを判定する制御と、
エンジンの運転状態に基づいて、前記電動過給機へ供給する目標供給電力とを決定する制御と、
前記判定された負荷低減度合いによって得られる前記モータ発電機の発電電力が前記目標供給電力よりも小さいときは、該判定された負荷低減度合いでもってエンジン補機の負荷を低減させると共に、エンジンの空燃比を一時的にリッチにするリッチ補正の制御を行って、該エンジン補機の負荷低減と空燃比のリッチ化によって得られるトルク増大分を消費するように該モータ発電機での発電を行わせる制御を行う、
ように設定されている、
ようにすることができる（請求項８対応）。この場合、エンジン補機の作動状態によっては、エンジン補機を完全にＯＦＦ（遮断で駆動停止）することが難しいあるいは困難な場合もあるが、無理のない範囲で負荷低減できる程度を判定して、この判定された程度の負荷低減を行うので、エンジン補機の負荷低減に起因する悪影響を防止する上で好ましいものとなる。そして、エンジン補機の負荷低減だけでは不足する発電のためのトルクを、空燃比のリッチ化によって補って、電動過給機に十分な電力を供給して、加速応答性も満足させることができる。
【００１９】
前記制御手段は、前記過渡時に、
エンジンの運転状態に基づいて、前記過渡時に前記電動過給機へ供給する目標供給電力を決定する制御と、
前記エンジン補機の負荷低減によるトルク増大分に対応して得られる前記モータ発電機の発電電力を決定する制御と、
前記発電電力が前記目標供給電力よりも大きいときは、該目標供給電力分だけ前記モータ発電機から前記電動過給機に電力を供給すると共に、該発電電力と目標供給電力との差分となる余裕電力を前記蓄電装置に蓄電させる制御と、
前記発電電力が前記目標供給電力よりも小さいときは、該発電電力と目標供給電力との差分となる不足電力をエンジンの空燃比を一時的にリッチにして該空燃比のリッチ化によって得られるトルク増大分によって該発電電力を増大させて、該目標電力を前記電動過給機に供給する制御と、
を行うように設定されている、
ようにすることができる（請求項９対応）。この場合、請求項８に対応した効果を得つつ、発電された余裕電力を無駄にすることなく蓄電させておくことができる。
【００２０】
前記目標供給電力が、前記モータ発電機からの発電電力を前記電動過給機へ供給する供給時間と供給電力とをパラメータとして設定される、ようにすることができる（請求項１０対応）。この場合、電動過給機への目標供給電力を、供給時間と供給電力とをパラメータとして設定することにより、供給時間内での電力制御という簡単な手法によって目標供給電力を精度よく供給することができる。
【００２１】
前記供給電力は、初期時にはもっとも大きい値とされ、その後徐々に小さくなるように設定される、ようにすることができる（請求項１１対応）。この場合、もっとも電力を必要とする初期時に供給電力を大きくして電動過給機の駆動応答性を高めつつ、トルクショック等を生じさせることなく定常的な電動過給機の運転状態へと円滑に移行させる上で好ましいものとなる。
【００２２】
エンジン回転数と、アクセル開度に応じて設定されるエンジン負荷としての目標トルクとをパラメータとして運転領域があらかじめ設定され、
前記運転領域が、低目標トルクまたは高回転となる第１領域と、高目標トルクかつ中回転となる第２領域と、高目標トルクかつ低回転となる第３領域との３つの領域に分けられており、
前記制御手段は、前記第１領域では、前記モータ発電機および電動過給機による駆動アシストを禁止し、前記第２領域では該電動過給機のみによる駆動アシストを実行させ、前記第３領域では該モータ発電機と電動過給機との両方の駆動アシストを実行させるように制御するように設定されている、
ようにすることができる（請求項１２対応）。
【００２３】
この場合、高目標トルクかつ低回転領域で電動過給機を駆動したときに発生するエンジンのノッキングの問題や電動過給機のサージングの問題等が回避される。また、駆動アシストするモータ発電機を高目標トルクではあるが低回転で駆動するから、該モータ発電機としては、高トルクではあるが低回転で駆動可能なものであればよく、その結果、出力の小さなモータ発電機で十分となって、該モータ発電機及び該モータ発電機に電力を供給する蓄電装置を小型化でき、これらの車両への搭載性の向上や、車両のコスト及びサイズの縮小が図れる。
【００２４】
一方、電動過給機を高目標トルクかつ中回転で駆動するから、上記の高目標トルクかつ低回転でのモータ発電機の駆動と合わせて、低回転域から中回転域にかけてのトルクは、これらのモータ発電機及び電動過給機の駆動によって得られるアシストトルク及び過給トルクで確保することができる。その結果、自然吸気のみで得られるエンジンの最大トルクの発生回転数（及び最大出力の発生回転数）を高回転領域にシフトすることが可能となり（換言すれば、高回転領域のトルクを非過給のエンジンの出力のみで確保することが可能となり）、したがって、低中回転域のみならず、高回転域においても、十分な余裕トルク（エンジンのトルクと走行抵抗との差に相当するトルク）が得られる。その結果、変速機のギヤ比とファイナルギヤ比とから得られるトータルギヤ比を、あまり減速しなくてもよいギヤ比（値の小さなギヤ比）とすることが可能となり、同じ車速を得ようとしたときに、トータルギヤ比の値が小さい分、エンジン回転数も低くて済み、それゆえ、より低回転側の領域が使用頻度の高い領域となって、燃費が著しく向上する。
【００２５】
しかも、上記のエンジンの最大トルク発生回転数（及び最大出力発生回転数）の高回転領域へのシフトは、例えば吸気弁の開時間を長くして充填効率を上げる（新気が排気を一掃して充填効率を向上させる）ことや、吸気通路の長さを高回転時に慣性過給効果が得られるようにエンジンの諸元を設計すること等で達成される。その結果、使用頻度の高い低中回転低負荷領域において、ポンピングロスの少ない、有効圧縮比が小さく、有効膨張比の大きい、熱効率のよいエンジンの諸元が得られ、この点からも、より一層の燃費向上が図られる。
【００２６】
前記第１領域と第２領域との境となる第１境界特性線が、前記モータ発電機と電動過給機との駆動アシストなしの状態で自然吸気運転されたエンジンのトルク曲線に対応するように設定され、
前記第２領域と第３領域との境となる第２境界特性線が、エンジン回転数が増大するのに伴って目標トルクが急激に大きくなるように設定されている、
ようにすることができる（請求項１３対応）。
この場合、第１境界特性線の設定によって、必要なトルクを、電動過給機による駆動アシストが行われない自然吸気運転されるエンジンによってのみ得る頻度を増大させて、つまり電動過給機による駆動アシストが極力行われないようにして、省燃費の上で好ましいものとなる。また、第２境界特性線の設定によって、低回転域での駆動アシストを、極力モータ発電機によって行うようにして、低回転域で電動過給機を運転した場合に生じやすい問題をより一層十分に解決する上で好ましいものとなる。
【００２７】
前記モータ発電機および電動過給機の駆動アシストなしの状態で自然吸気運転されたエンジンの最大トルクの発生回転数が、前記第２領域における最大回転数付近となるように設定されている、ようにすることができる（請求項１４対応）。
この場合、自然吸気運転されるエンジンの最大トルク発生回転数が十分に高回転側にシフトしたものとして、より十分に省燃費を図る上で好ましいものとなる。
【発明の効果】
【００２８】
本発明によれば、加速要求に応じて電動過給機の駆動を開始するときは、モータ発電機を発電機として機能させて、発電された電力を電動過給機に供給する一方、このときにエンジン補機の負荷低減を行うので、モータ発電機の発電電力が十分に確保されて、電動過給機の駆動応答性を十分に高めて、加速応答性を満足させることができ、またその後の電力不足も生じにくいものとなる。また、モータ発電機の発電に起因するトルク低下と、エンジン補機の負荷低減によるトルク増大とが相殺されることとなって、モータ発電機の発電のみを行う場合に比して、トルクショックの防止あるいは低減の上でも好ましいものとなる。
【発明を実施するための最良の形態】
【００２９】
図１に示すように、本実施形態に係る車両は、動力源としてエンジン１とモータ発電機（モータジェネレータで、車両の動力源としてのモータの機能と、エンジン１で駆動されて発電を行う発電機としての機能とを兼ね備えたもの）１１とを有する、いわゆる低公害型車両あるいは環境対応型車両等と称されるものであって、エンジン１のクランクシャフトとモータ発電機１１の回転軸とがベルトあるいはチェーン１２で相互連結されている。また、この車両は、エンジン１の出力増大を図る手段として電動過給機５を有し、該過給機５は、主たる構成要素として、エンジン１の吸気通路２に配設された、例えば遠心式の圧縮機３と、該圧縮機３を回転駆動するモータ４とを有する。
【００３０】
ここで、上記圧縮機３の下流には、インタークーラ６と電動スロットル弁７とがこの順に吸気通路２に配設されている。また、圧縮機３の上流とインタークーラ６の下流とに亘ってバイパス通路（リリーフ通路あるいは再循環通路ともいう）９が設けられている。このバイパス通路９は、例えば、低回転で電動過給機５の圧縮機３を通過するガスの流量が少ないときに、該電動過給機５の過給能力を確保するために、いったんインタークーラ６を出たガスを再び圧縮機３の上流に戻して、該圧縮機３を通過するガスの流量を確保するため等のものである。なお、吸気通路２は、吸気マニホールド８を介してエンジン１に接続している。
【００３１】
一方、このエンジン１の電源システム１４には上記電動過給機５のモータ４が接続されている他、上記モータ発電機１１がインバータ１３を介して、また１２Ｖの鉛電池１７がＤＣ／ＤＣコンバータ１６を介してそれぞれ上記電源システム１４に接続されている。そして、電動過給機５の駆動時、及びモータ発電機１１の車両動力源としての駆動時には、上記電源システム１４の、例えば４２Ｖの蓄電装置１５からそれぞれに電力供給が行われる。逆に、モータ発電機１１がエンジン１により発電機として駆動されるときには、その発電電力は、インバータ１３を経て上記電源システム１４の蓄電装置１５に供給され、該蓄電装置１５の充電に用いられる。蓄電装置１５としては、実施形態では大電力を応答よく（急激に）放電、充電できるコンデンサ（キャパシタ）型のものが用いられているが、これに限定されるものではない。。
【００３２】
また、前照灯やエアコン等の一般電装品、及び冷間始動時に用いられる補助スタータ１８等へは、１２Ｖ鉛電池（通常のバッテリ）１７から電力供給が行われ、該鉛電池１７へは、上記ＤＣ／ＤＣコンバータ１６により上記電源システム１４の蓄電装置１５の電力が１２Ｖに降圧されて常時充当されている。
【００３３】
そして、コントロールユニット５０には、運転者によるアクセルペダル１９の開度（踏込量）を検出するアクセル開度センサ２０からの信号、エンジン１の回転数を検出するエンジン回転センサ２１からの信号、車両の現在位置と道路地図情報と交通（渋滞）情報とから前方道路の状況を検出するナビゲーションシステム３０からの信号、電源システム１４からの信号（蓄電装置１５の状態−例えば蓄電量等−に関連する信号等）、電動過給機５のモータ４の温度を検出するモータ温度センサ（例えばサーミスタ等で構成される）２２からの信号、吸気通路２におけるインタークーラ６を出た直後の吸気温度を検出する吸気温度センサ２３からの信号、及び吸気通路２におけるスロットル弁７の直上流の吸気圧を検出する吸気圧センサ２４からの信号等が入力される。また、コントロールユニット５０は、入力信号の結果に応じて、電動過給機５のモータ４、モータ発電機１１を車両動力源として駆動させるインバータ１３、スロットル弁７を駆動するスロットルアクチュエータ２５、補助スタータ１８、バイパス通路９の開度（すなわち圧縮機３を通過する吸気の循環量）を調整するリリーフ弁１０、及び自動変速機４０等に各種の制御信号を出力して、エンジン１の出力制御や、モータ発電機１１による発電制御（蓄電装置１５の充電制御）等を実行する。
【００３４】
エンジン１には、図示を略すが、エンジン１によって駆動される種々の補機が存在する。このエンジン補機としては、例えば、エアコン用ポンプ（コンプレッサ）、エンジン冷却水の循環用となる冷却水ポンプ等がある。コントロールユニット５０は、エンジン補機の駆動を遮断（停止）する制御をも行うものであり、この駆動遮断のために、エンジン補機とエンジン１との駆動経路には、コントロールユニット５０によって断続制御される電磁クラッチ等が介在される。なお、エンジン補機の負荷低減を、駆動遮断ではなくて、駆動レベルの低下によって行う場合は、例えば上記クラッチを半クラッチ状態に制御すればよい。さらに、コントロールユニット５０は、後述するように、モータ発電機１１の発電電力確保のために、エンジン１の空燃比の一時的なリッチ化や自動変速機４０の一時的なシフトアップ変速をも適宜行うものとなっている。
【００３５】
図２は、モータ発電機１１と電動過給機５とエンジン１（のみ）との運転状態を切り分けるためのマップであり、エンジン回転数とエンジン負荷としてのトルクとをパラメータとして設定されており、パラメータとしてのトルクは、アクセル開度に応じた目標トルクに対応している。すなわち、後述するように、アクセル開度に応じた目標トルクが設定されて、現在のエンジン回転数に対応した目標トルクが図２のマップのどの位置にあるのかを判定することにより、モータ発電機１１と電動過給機５とエンジン１（のみ）との運転状態が適宜選択されて、実行されることになる。なお、図２に示すマップは、コントロールユニット５０のＲＯＭ（記憶手段）にあらかじめ記憶されている。
【００３６】
図２において、第１領域Ｘと、第２領域Ｙと、第３領域Ｚとの３つの領域に区画されている。第１領域Ｘ（非過給領域）は、全低負荷（低トルク−低目標トルク）から全高回転に亘る領域であり、この第１領域Ｘは、自然吸気運転されるエンジン１のみによる駆動が行われるときである（モータ発電機１１および電動過給機５の駆動アシストは行われない）。第２領域（過給領域）Ｙは、高負荷かつ中回転域であり、電動過給機による駆動アシストが行われるときである（モータ発電機による駆動アシストはなし）。第３領域Ｚは、高負荷かつ低回転域であり、電動過給機５による駆動アシストに加えて、モータ発電機１１による駆動アシストが合わせて行われるときである。
【００３７】
上記３つの領域Ｘ〜Ｚについてより詳しく説明すると、第１領域Ｘと第２領域Ｙとの境界となる第１境界特性線が符号β１で示される。この第１境界特性線β１は、自然吸気運転されるエンジン１のトルク曲線に対応しており（実施形態ではエンジン１のトルク曲線と完全に一致で、後述する図５をも参照）。自然吸気運転されるエンジン１の最大トルク発生回転数は、通常乗用車用の自然吸気式エンジンに比して相当に高回転側にシフトして設定されている。第１境界特性線β１に示される最大トルク発生回転数は、電動過給機５による駆動アシストが行われる第２領域Ｙの最大回転数付近となるように設定されている。つまり、第１境界特性線β１は、回転数の増大に伴って徐々にトルク（目標トルク）が大きくなるように設定されているが、回転数の増大に伴うトルク増大は比較的緩やかである。第１境界特性線β１から理解されるように、電動過給機５による駆動アシストが行われている高負荷状態（第２領域Ｙでの運転状態）において、エンジン回転数が小さい状態から大きい状態へと移行するのに伴って、当初はエンジン回転数が大きくなるにつれて電動過給機５による駆動アシストが徐々に大きくなり、その後、エンジン回転数が上昇するにつれて電動過給機５による駆動アシストが徐々に小さくなり、電動過給機５による駆動アシストが極めて小さくなる第１領域Ｘに移行する付近の回転数が、自然吸気運転のみとなるエンジン１のほぼ最大トルク発生回転数となる。
【００３８】
第２領域Ｙと第３領域Ｚとの境界を示す境界特性線が符号β２で示される。この第２境界特性線β２は、エンジン回転数の上昇に伴ってトルク増大が急激に増加するように設定されている。すなわち、第３領域Ｚにおいて、エンジン回転数が小さいときはモータ発電機１１による駆動アシストが極めて大きくなる（第１境界特性線β１とを比較することによりより明確に理解される）。第３領域Ｚにおいて、低回転のｌときは、モータ発電機１１による駆動アシストが極めて大きい一方、電動過給機５による駆動アシストが極めて小さいものとなる。エンジン回転数の上昇に伴って、電動過給機５による駆動アシストの割合が徐々に増大され、第３領域Ｚの最大回転数付近では、殆ど電動過給機５による駆動アシストのみとなる。
【００３９】
上述した３つの領域Ｘ〜Ｚの最大トルクを結ぶ線が、電動過給機５、モータ発電機１１付きのエンジン１のトータルの最大トルクとなるが、このトータルの最大トルクは、モータ発電機１１による駆動アシストが実行される低回転域ではほぼ一定で、電動過給機５による駆動アシストが行われる中回転域では、回転数の上昇に伴った徐々に低下し、エンジン１の自然吸気運転のみの領域となる高回転域では、回転数の上昇に伴って小さくなるが、その低下度合いは中回転域よりも大きくなる。ただし、上記トータルの最大トルクは、常用域となる低回転域および中回転域では、ほぼ一定の大きいトルクが得られるものであり、自動車用として非常に使いやすい（ほぼ理想的な）トルク特性となっている。
【００４０】
図２において、より具体的な数値例をもって説明する。まず、図２のア点では、アクセル開度は１００％であり、エンジン回転数は５０００ｒｐｍ前後とされている。図２のイ点は、アクセル開度は１００％であり、エンジン回転数は最大過給圧が得られる回転数近傍でかつノックフリーとなる最低回転数近傍となる回転数に設定されている（２０００〜３０００ｒｐｍの範囲で設定）。図３のウ点は、アイドル回転数であって、アクセル開度は８０％程度であり、エンジン回転数は６５０ｒｐｍ前後とされている。
【００４１】
次に、コントロールユニット５０による上記のようにエンジン１の運転状態に応じて電動過給機５及びモータ１１の駆動を切り換えるエンジン１の出力制御および蓄電装置１５への蓄電制御例について、非過給領域Ｘから加速要求によって過給領域Ｙへ移行する過渡時の制御を含めて、図３以下を参照しつつ説明する。
【００４２】
まず、図３は全体の制御を示すもので、ステップＳ１で、各種信号を入力した後、ステップＳ２で、アクセル開度αに基づいて目標トルクＴｏを算出する。このとき、目標トルクＴｏは、概ね、アクセル開度αが大きいほど大きな値に算出される。
【００４３】
次に、ステップＳ３で、現在非過給領域Ｘにあって、過給領域Ｙ付近にあるか否かが判別される。すなわち、現在過給領域Ｘにあるが、第１境界特性線β１付近に位置する状態であるか否かが判別される。このステップＳ３の判別でＹＥＳのときは、ステップＳ４において、アクセル開度の変化量（単位時間あたりの変化量）が、あらかじめ設定された所定値以上であるか否かが判別される。このステップＳ４での判別は、加速要求であるか否かをみるもので、ステップＳ４での所定値の設定と、ステップＳ３での過給開始ラインとしての第１境界特性線β１からの離間量との設定によって、ステップＳ４での判別でＹＥＳのときは、過給領域Ｙに移行するときとなる。このステップＳ４の判別でＹＥＳのときは、ステップＳ６において、電動過給機５の駆動を開始する過渡時の制御が後述のようにして行われる。また、ステップＳ３の判別でＮＯのとき、およびステップＳ４の判別でＮＯのときは、それぞれステップＳ５に移行して、後述する通常制御が行われる。
【００４４】
図３のステップＳ５における通常制御が、例えば図４に示すように行われる。この図４において、ステップＳ１２において、現在の運転状態が駆動アシスト領域にあるか否かが判別される。この判別は、図２のマップに現在の運転状態を照合することにより行われる。現在非過給領域Ｘにあるときは、ステップＳ１２での判別がＮＯとなって、このときはステップＳ１３において、減速時であるか否かが判別される。減速時であるか否かは、例えばアクセル開度が零のとき、あるいはアクセル開度が零に加えてブレーキ操作されているときに減速時であると判断することができる。
【００４５】
ステップＳ１３の判別でＮＯのとき、つまり減速時でないときは、ステップＳ１４において、蓄電装置１５への蓄電制御が行われる（モータ発電機１１を発電機として機能させる制御）。この蓄電制御は、例えば、蓄電装置の蓄電量が目標蓄電量（例えば８０％）となるように制御される。この後、ステップＳ１５において、目標トルクＴoに応じて設定された目標スロットル開度ＴＶＯが設定されて、ステップＳ１６において、スロットル開度が目標スロットル開度ＴＶＯとなるようにフィードバック制御される。
【００４６】
前記ステップＳ１３の判別でＹＥＳのとき、つまり減速時のときは、ステップＳ１９において、回生制動が行われ、このとき目標スロットル開度ＴＶＯは０に設定される。この回生制動は、モータ発電機１１を発電機として機能させて、エンジン１の回転に大きな抵抗を与えて減速を促進させると共に、モータ発電機１１での発電電力を蓄電装置１５に蓄電するものである。この回生制動のときの蓄電制御においては、目標蓄電量が例えば９５％（蓄電装置１５の劣化度合いに応じた１００％の目標蓄電量とすることもできる）という大きな目標蓄電量となるように行われる。勿論、制動時であるからして、燃料カットが行われる。このステップＳ１９の後は、ステップＳ１６に移行する。
【００４７】
前記ステップＳ１２の判別でＹＥＳのときは、ステップＳ１７において、駆動アシストの制御が行われる。すなわち、図２のマップに設定された領域に応じた駆動アシストが行われて、過給領域Ｙでは電動過給機５の駆動が行われ（モータ発電機１１による駆動アシストはなし）、モータアシスト領域Ｚでは、電動過給機５の駆動と共にモータ発電機１１がモータとして機能される。勿論、過給領域Ｙでは、電動過給機５は蓄電装置１５からの電力供給を受けて駆動され（モータ発電機１１は発電機として機能）、モータアシスト領域Ｚでは、電動過給機５およびモータ発電機１１共に蓄電装置１５からの電力供給を受けることになる。この駆動アシストが行われる領域では、エンジン１をもっとも効率よく運転すべく、ステップＳ１８において目標スロットル開度ＴＶＯが１００％に設定される。ステップＳ１８の後は、ステップＳ１６へ移行される。
【００４８】
図３のステップＳ６の詳細な制御例について、図５を参照しつつ説明する。この図５のＳ２１において、スロットル開度が全開（１００％）に設定される。次いで、ステップＳ２２において、エンジン補機の駆動が停止される。停止されるエンジン補機としては、例えば、駆動停止によって大きなトルク増大が見込まれる例えばエンジン冷却水の循環ポンプ（冷却水ポンプ）や、エアコン用ポンプがある。エンジン補機の駆動停止によって、エンジン１の負荷が低減されてトルク増大となるが、このトルク増大によってモータ発電機１１の発電能力が大きいものとなる。図６には、エンジン補機が停止されたときのトルク増大によって得られるモータ発電機１１の発電能力（向上分）との関係例が示される。すなわち、冷却水ポンプを駆動停止したときは、通常の発電電力に比して、図６波線で示す分だけ発電電力が増大される。この冷却水ポンプ停止に加えてエアコン用ポンプを駆動停止したときは、さらにモータ発電機１１の発電電力が増大される。
【００４９】
ステップＳ２２の後、ステップＳ２３において、モータ発電機１１の発電電力が、駆動停止されたエンジン補機のトルク増大分に対応して増大される。次いで、ステップＳ２４において、電動過給機５への目標供給電力が設定される。この目標供給電力は、供給時間ｔsと、供給電力Ｐsとをパラメータとして設定される。目標供給電力、特に供給電力Ｐsは、電動過給機５（のモータ４）側のインバータを制御することによって変更される。なお、供給時間ｔsと、供給電力Ｐsとについては、後にさらに詳述する。
【００５０】
ステップＳ２４の後は、ステップＳ２５において、例えばステップＳ２４の時点から供給時間ｔsが経過したか否かが判別される。このＳ２５の判別でＮＯのときは、モータ発電機１１から電動過給機５へ過渡時の電力供給を行うときであり、このときはステップＳ２６において、モータ発電機１１での発電電力を受ける電動過給機５が、目標回転数となるようにフィードバック制御される。より具体的には、目標トルクＴｏを実現するために必要な過給トルク（目標トルクＴｏからエンジン１の最大トルクを差し引いたトルクに相当）を決定して、この決定された過給トルクを得るための目標吸気圧が設定されて（おおむね過給トルクが大きくなるほど目標吸気圧が大に設定される）、実吸気圧が目標吸気圧となるように電動過給機５の回転数がフィードバック制御される。この電動過給機５のフィードバック制御は、モータ発電機１１から十分な電力が応答よく供給されるために、応答よく確実に行われて、過給の立ち上がりが速いものとなる。
【００５１】
前記ステップＳ２５の判別でＹＥＳのときは、モータ発電機１１での発電電力を電動過給機５に供給する過渡時を経過したときであり、このときは、ステップＳ２７で、モータ発電機１１の発電が通常の発電状態に戻される後（図６の通常発電）。この後、ステップＳ２８で、駆動停止されているエンジン補機の駆動が再開される。
【００５２】
ここで、前述した過渡時におけるモータ発電機１１から電動過給機５への発電電力供給についてより詳しく説明する。まず、図７（ａ）において、加速要求によって電動過給機５を駆動開始する場合、モータ発電機１１からの発電電力が電動過給機５に供給されるが（供給電力はハッチングを付した領域）、エンジン補機の駆動停止によるトルク増大によって、モータ発電機１１は十分な電力を発電することができ、電動過給機５への供給電力、特に供給初期時の電力を大きくして、電動過給機５を応答よく駆動することができる。これにより、図７（ｂ）に示すように、過給の立ち上がりが速いものとなり、加速応答性が十分に満足されることになる。勿論、モータ発電機１１の発電開始に伴うトルク低下は、エンジン補機の駆動停止によるトルク増大によって補われて、トルクショックも防止あるいは低減されることになる。モータ発電機１１の発電電力に余裕があるときは、蓄電装置１５に蓄電が行われる。
【００５３】
図１２は、比較例を示すもので、加速要求の過渡時に電動過給機５の駆動開始を、全て蓄電装置１５からの電力供給でまかなう場合を示す。この場合、電動過給機５への電力供給開始時に、供給電圧が一時的に急激に低下し、その後供給電圧が徐々に回復することになるが、電圧回復までにすくなからずの時間を要してしまう結果、電動過給機５の駆動が応答よく行われずに、過給の立ち上がりが遅くなってしまうことになる。本発明では、特に、図１２に示す供給電圧の一時的な急激な低下をまねくことなく、逆に一時的に急激に増加されるので、過給の立ち上がりが極めて速いものとなる。
【００５４】
図８は、モータ発電機１１から電動過給機５への好ましい発電電力の供給形態を示すものである。すなわち、電動過給機５への発電電力供給開始の初期時は、供給電力Ｐsがもっとも大きい値とされ、その後、徐々に供給電力Ｐsが小さくされて、電力供給時間ｔsの最後には、モータ発電機１１による通常の発電電力と同じ程度にまで低下される。モータ発電機１１の発電電力に余裕があるときは、図７（ａ）に示すように、余裕電力は蓄電装置１５への蓄電に用いることができる。
【００５５】
モータ発電機１１から電動過給機５への供給電力は、上記供給時間ｔsが大きいほど、また供給電力Ｐsが大きいほど大きいものとなる。この供給時間tsと供給電力Ｐsとの設定は、例えば図９に示すように、エンジン回転数をパラメータとして設定するのが好ましいものである。すなわち、エンジン回転数が大きいときは小さいときに比して、最大過給時の吸気流量が大きいので、エンジン回転数が大きくなるほど供給時間tsおよび供給電力Ｐsがそれぞれ大きくなるように設定される。
【００５６】
図１０、図１１は、目標供給電力を設定する供給時間ｔsと供給電力Ｐsとの別の設定例を示すものであり、図９の設定例に代えて用いたり、あるいは図９の設定を補正するために用いることができる。ただし、エンジン回転数に応じた供給時間ts、供給電力Ｐsの設定要求の度合いが高いので、図１０、図１１の設定例は、図９の設定を基本値とするその補正用（補正係数設定用）として用いるのが好ましい。
【００５７】
図１０は、供給時間ts、供給電力Ｐsを増大（補正）する場合である。すなわち、例えばナビゲーションシステム３０によって、加速要求が予測される場合、例えば、前方道路が自動車専用道路や高速道路であったり、あるいはこれらの道路への入り口ランプである場合、さらには複数車線の長い直線路である場合等は、加速要求の度合いが高いものであるとして、ｔs、Ｐsが大きい値に設定される（増大補正係数として設定される）。なお、図１０の設定例を増大補正係数として用いる場合は、最小値を例えば「１」に設定すればよい。
【００５８】
図１０において、蓄電装置１５の内部抵抗が大きいときは、劣化の度合いが大きくて蓄電能力が低いとして、内部抵抗が大きくなるほど、ts、Ｐsが大きい値に設定される（増大補正係数として設定される）。また、蓄電装置１５の加熱度合いが大きいときも、、ts、Ｐsが大きい値に設定される（増大補正係数として設定される）。
【００５９】
図１１は、ts、Ｐsを減少（減少補正）させる場合である。すなわち、例えば電動過給機５の加熱度合いが大きいほど、また電動過給機５の劣化度合いが大きいほど、さらには蓄電装置１５の蓄電量が大きいほどts、Ｐsが小さい値に設定される（減少補正係数として設定される）。蓄電装置１５の蓄電量については、蓄電量が小さいほど、電動過給機５への供給電力が不足ぎみになるので、ts、Ｐsを大きい値に設定（増大補正係数として設定）するのが好ましいものとなる。なお、図１１の設定例を減少補正係数として用いる場合は、最大値を例えば「１」に設定すればよい（最小値は１よりも大に設定）。
【００６０】
図１３、図１４は、本発明の第２実施形態を示すものであり、図５の過渡時の制御内容に相当するものとなっている。まず、図１３のステップＳ３１において、スロットル開度が全開に設定された後、ステップＳ３２において、エンジン補機の現在の運転状況からして、遮断つまり駆動停止できるエンジン補機が選択される。この選択は、例えば次のようにして行われる。例えば、エアコン用ポンプの場合、現在の温度と設定温度との偏差が大きい場合は、エアコン用ポンプを駆動停止するのは好ましくなく、少なくとも運転能力を低下させる程度にとどめるのが好ましいものとなる。また、冷却水ポンプは、エンジン１の温度が、許容温度範囲を超えているときは停止させることは好ましくないものとなる。以上のように、エンジン補機の現在の運転状態からして、駆動停止あるいは駆動を停止しないまでも駆動レベルを低下させることのできるエンジン補機の選択が行われる。
【００６１】
ステップＳ３３では、ステップＳ３２で選択されたエンジン補機を駆動停止あるいは駆動レベルを低下させたときに得られるトルク増大分に対応したモータ発電機１１の発電電力Ｅが決定される。この後、Ｓ３３において、電動過給機５への目標供給電力Ｅｏ（＝ｔs、Ｐsの設定）が、エンジン回転数に基づいて決定される（図９）。
【００６２】
ステップＳ３５では、上述のようにして選択されたエンジン補機の負荷低減が実行される（駆動停止されるものもあれば、駆動レベルが低下されるものもある）。この後、ステップＳ３６において、得られる供給電力Ｅが目標供給電力Ｅｏよりも小さいか否かが判別される。このステップＳ３６の判別でＮＯのときは、エンジン補機の負荷低減によって得られる発電電力Ｅが目標供給電力Ｅｏ以上のときであり、このときは、ステップＳ３７において、例えばステップＳ３５の時点から供給時間ｔsが経過したか否かが判別される。こｐのステップＳ３７の判別でＮＯのときは、ステップＳ３８へ移行される（図５のステップＳ２６対応）。また、ステップＳ３７の判別でＹＥＳのときは、ステップＳ３９、４０の処理が行われる（図５のステップＳ２７、２８対応）。
【００６３】
前記ステップＳ３６の判別でＹＥＳのときは、エンジン補機の負荷低減のみでは、目標供給電力Ｅｏを達成できないときである。このときは、図１４のステップＳ５１に移行して、エンジン冷却水温度が所定値（所定温度で例えば６０度ＣＦ））以上であるか否か、つまりエンジン１が十分に暖機されているか否かが判別される。このステップＳ５１の判別でＹＥＳのときは、空燃比のリッチ化の度合いが決定される。リッチ化の度合いは、得られる発電電力Ｅと目標供給電力Ｅｏとの偏差（の絶対値）に基づいて行われ、偏差が大きいほどリッチ化の度合いが大きくされる。この後、ステップＳ５３において、空燃比のリッチ化が実行された後、図１３のステップＳ３７に戻る。
【００６４】
前記ステップＳ５１の判別でＮＯのときは、空燃比のリッチ化でも目標供給電力Ｅｏを満足させることができない場合である。この場合は、ステップＳ５４に移行して、得られる発電電力Ｅと目標供給電力Ｅｏとの偏差（の絶対値）に基づいて、自動変速機４０のシフトアップ変速度合いＰｇが決定される。すなわち、シフトアップすることにより、駆動系の慣性（イナーシャ）が放出されて、モータ発電機１１を駆動するトルク増大となることから、上記偏差が大きいほどシフトアップの変速度合いＰｇが大きい値に設定される。この後、ステップＳ５５において、シフトアップが行われる。なお、自動変速機４０が無段変速機（ＣＶＴ）の場合は、シフトアップ変速度合いＰｇをきめ細かく設定することが可能となって好ましいものである。勿論、自動変速機４０が多段式（例えば前進４段変速や５段変速等）の場合は、変速度合いＰｇの最小値は１段シフトアップ分となる。
【００６５】
図１５には、自動変速機４０が無段変速機（ＣＶＴ）の場合に、Ｐｇ分だけシフトアップ変速する場合の一例が示される。なお、空燃比のリッチ化とシフトアップ変速との両方を合わせて行うこともできる。すなわち、空燃比のリッチ化を最大限行うとともに、この最大限のリッチ化のみでは不足する発電電力分を、Ｐｇ分のシフトアップ変速によって補うようにすることもできる。
【００６６】
なお、ステップＳ５３を経て図１３のステップＳ４０へ移行したときは、空燃比が通常値に復帰される。同様に、ステップＳ５５を経て図１３のステップＳ４０へ移行したときは、シフトアップ変速度合いＰｇが解消されて元の変速比に復帰される。
【００６７】
以上実施形態について説明したが、本発明はこれに限らず、例えば次のような場合をも含むものである。電動過給機５としては、圧縮機３をモータ（電動モータ）のみによって駆動する場合に限らず、圧縮機３を排気エネルギでもって駆動されるタービンに連結した排気ターボ過給機において、その圧縮機を適宜モータで駆動する場合をも含むものである（特に、低回転・高負荷のときにモータでもって圧縮機を駆動し、中回転から高回転での高負荷域ではモータを休止させて排気エネルギによって圧縮機を駆動する等）。換言すれば、本発明においては、非過給状態とは、過給用の圧縮機３を駆動するモータ４に駆動のための通電が行われていない状態をいうものである。
【００６８】
図２に示す駆動領域の設定はあくまで一例であって、電動過給機５の駆動領域やモータ発電機１１をモータとして機能させる領域の設定は、適宜変更できる。コントロールユニット５０による制御としては、自動変速機（多段変速機でも無段変速機のいずれでもよい）の変速制御や、変速特性の変更制御等も合わせて行うことができる。例えば、蓄電装置１５の蓄電量が小さいときは、変速特性を低速側（ギア比大側）にシフトする等の制御を合わせて行うことができる。加速要求のあった過渡時の制御において、モータ発電機１１による発電電力の大きさは、エンジン補機の負荷低減に相当する丁度の大きさに設定するのが、発電電力に過不足なしとする一方、トルクショックを効果的に防止する上でも好ましいものとなる。
【図面の簡単な説明】
【００６９】
【図１】本発明を実施するための車両の制御システム図。
【図２】エンジンの制御領域を示すマップ。
【図３】本発明の制御例を示すフローチャート。
【図４】本発明の制御例を示すフローチャート。
【図５】本発明の制御例を示すフローチャート。
【図６】エンジン補機を駆動停止したときに得られる発電電力の一例を示す図。
【図７】モータ発電機から電動過給機への発電電力供給と過給の立ち上がりとの関係を示す図。
【図８】モータ発電機から電動過給機への目標供給電力の設定例を示す図。
【図９】エンジン回転数に応じた目標供給電力の設定例を示す図。
【図１０】目標供給電力の別の設定例を示す図。
【図１１】目標供給電力の別の設定例を示す図。
【図１２】比較例を示すもので、図７に対応した図。
【図１３】本発明の第２実施形態の制御例示すフローチャート。
【図１４】本発明の第２実施形態の制御例示すフローチャート。
【図１５】発電電力を確保するために無段変速機をシフトアップ変速する場合の一例を示す図。
【符号の説明】
【００７０】
１：エンジン
４：モータ
５：電動過給機
１１：モータ発電機
１５：蓄電装置
２０：アクセル開度センサ
２１：エンジン回転センサ
４０：自動変速機
５０：コントロールユニット
【図１】
2005180254.tif 000003
【図２】
2005180254.tif 000004
【図３】
2005180254.tif 000005
【図４】
2005180254.tif 000006
【図５】
2005180254.tif 000007
【図６】
2005180254.tif 000008
【図７】
2005180254.tif 000009
【図８】
2005180254.tif 000010
【図９】
2005180254.tif 000011
【図１０】
2005180254.tif 000012
【図１１】
2005180254.tif 000013
【図１２】
2005180254.tif 000014
【図１３】
2005180254.tif 000015
【図１４】
2005180254.tif 000016
【図１５】
2005180254.tif 000017